(57)【要約】【課題】家庭で使用されるレンジフードにおいて、フード部分の薄形化をしても、送風機の出力を上げなくても効率的に捕集することを目的とする。【解決手段】フード１５内部を第１風路１９Ａと第２風路１９Ｂが構成されるように仕切板２０を入れ、第１吸気口１８Ａと第１吸込口１６Ａとを連通する第１風路１９Ａと第２吸気口１８Ｂと第２吸込口１６Ｂとを連通する第２風路１９Ｂで構成しフード１５内部の風路を分割したことにより、必要以上に圧力損失をかけなくてもよく、捕集時の気流バランスを各々制御させることができる。【選択図】図１
2007107751.tif 000002
【特許請求の範囲】
【請求項１】
箱状の外郭と第１吸込口を有する第１排気送風機と第２吸込口を有する第２排気送風機と室外へ連通するダクトを接続する排気口と、前記第１排気送風機と前記排気口および前記第２排気送風機と前記排気口が連通接続して構成している排気ユニットと、この排気ユニットの下に第１吸気口と第２吸気口を備えたフードを有したレンジフードにおいて、前記フード内部に仕切板を備え、前記仕切板により前記フード内部を第１吸気口と第１吸込口とを連通する第１風路と第２吸気口と第２吸込口とを連通する第２風路に分割したことを特徴とするレンジフード。
【請求項２】
箱状の外郭と排気送風機を第１吸込口と第２吸込口を有する両側吸込シロッコファンとし、前記排気送風機と室外へ連通するダクトを接続する排気口と前記排気送風機と前記排気口を連通接続して構成している排気ユニットと、この排気ユニットの下に第１吸気口と第２吸気口を備えたフードを有したレンジフードにおいて、前記フード内部に仕切板を備え、前記仕切板により前記フード内部を第１吸気口と第１吸込口とを連通する第１風路と第２吸気口と第２吸込口とを連通する第２風路に分割したことを特徴とするレンジフード。
【請求項３】
第１吸気口を複数に分割したことを特徴とする請求項１または２記載のレンジフード。
【請求項４】
第２吸気口を複数に分割したことを特徴とする請求項１または２記載のレンジフード。
【請求項５】
第１排気送風機の回転軸と第２排気送風機の回転軸を同一軸上としたことを特徴とする請求項１記載のレンジフード。
【請求項６】
住宅の壁面に取り付けたレンジフードにおいて、排気送風機の回転軸が壁面と直交し、かつフードの横幅の中心線上とすることを特徴とする請求項１または２記載のレンジフード。
【請求項７】
住宅の壁面に取り付けたレンジフードにおいて、第１吸込口よりも第２吸込口をもつ排気送風機を比速度の大きい送風機とし、かつ第１吸込口よりも第２吸込口を壁面側に配置したことを特徴とする請求項１または２記載のレンジフード。
【請求項８】
両側吸込シロッコファンの第１吸込口側のファン吸込径を第２吸込口側のファン吸込径より直径を小さくし、かつ、第１吸込口よりも第２吸込口を壁面側に配置したことを特徴とする請求項７記載のレンジフード。
【請求項９】
両側吸込シロッコファンの第１吸込側のブレード取付角を第２吸込口側のブレード取付角より小さくし、かつ、第１吸込口よりも第２吸込口を壁面側に配置したことを特徴とする請求項７記載のレンジフード。
【請求項１０】
両側吸込シロッコファンの第１吸込側の羽根外径を第２吸込口側の羽根外径より大きくし、かつ、第１吸込口よりも第２吸込口を壁面側に配置したことを特徴とする請求項７記載のレンジフード。
【請求項１１】
両側吸込シロッコファンの第１吸込側のブレード幅を第２吸込口側のブレード幅より小さくし、かつ、第１吸込口よりも第２吸込口を壁面側に配置したことを特徴とする請求項７記載のレンジフード。
【請求項１２】
両側吸込シロッコファンの第１吸込側の羽根内外径比を第２吸込口側の羽根内外径比より小さくし、かつ、第１吸込口よりも第２吸込口を壁面側に配置したことを特徴とする請求項７記載のレンジフード。
【請求項１３】
第１吸気口よりも第２吸気口を壁面側に配置したことを特徴とする請求項８〜１２のいずれかに記載のレンジフード。
【請求項１４】
第１吸気口に第３排気送風機を有し、この第３排気送風機と第１吸込口が直列に連通することを特徴とする請求項１または２記載のレンジフード。
【請求項１５】
第１吸気口を正面側とし、第３排気送風機をクロスフローファンとしたことを特徴とする請求項１４記載のレンジフード。
【発明の詳細な説明】
【技術分野】
【０００１】
本発明は、調理時に発生する廃ガス、油煙、臭気などを確実に屋外へ排出する薄型のフードを有するレンジフードに関するものである。
【背景技術】
【０００２】
従来、この種のレンジフードはフードの下面に整流板を設置し、この整流板の三縁または四縁に幅狭な開口部を設け、この開口部より調理で発生した油煙等を捕集していた（例えば、特許文献１参照）。
【０００３】
フードの上面に排気送風機のオリフィス吸込口を下面にしているので、整流板の三縁または四縁に幅狭な開口部から流入した空気は平均的に排気送風機のオリフィス吸込口へ導かれる。
【０００４】
しかしながら、近年、欧米スタイルを取り入れたキッチンに併せ、このキッチンに調和するようにフード部分が薄型のレンジフードが増加している。この薄型フードを実現するには、排気送風機のオリフィス吸込口を下面ではフードの上に横にした形態で排気送風機を設置する為、物理上フードの薄型化は困難である。この薄型のフードをもつレンジフードの特徴として、排気ユニットをフードの上面に設置し、オリフィス吸込み口を壁と平行に配置した構造とし、整流板の三縁または四縁に幅狭な開口部を設けたものとなる（例えば、特許文献２参照）。
【特許文献１】特開平１１−２１１１７４号公報
【特許文献２】特開２００５−２２６９１５号公報
【発明の開示】
【発明が解決しようとする課題】
【０００５】
このような従来のレンジフードでは、キッチンのデザイン性が重視され、レンジフードのフード部分の薄形化求められてきているが、薄いがためにフード前面部での捕集漏れや、前面部での捕集を向上させる為にフード内部全体に圧力損失をかけ、結果的に送風機の出力を上げなければならないという課題があり、また送風機の出力を上げる為、使用時の消費電力が上がるのと騒音が上がるという課題がある。本発明は、このような従来の課題を解決するものであり、フード内部を分割し、各々の送風機で捕集させるため、フード内部全体に圧力損失をかけなくても捕集時の気流バランスを各々制御させることにより効率的に捕集することができ、また各々の風路に最適な送風機の出力をかけることにより効率を上昇させ、消費電力の低減と騒音低減することができるレンジフードを提供することを目的としている。
【０００６】
また、フードへの吸込み風量と風速が、コンロの位置関係に合致したものになっていないという課題がある。本発明は、このような従来の課題を解決するものであり、コンロの位置関係に合致させた風速分布にすることができるレンジフードを提供することを目的としている。
【０００７】
また、風路の圧力損失に対し最適な排気送風機になっていないという課題がある。本発明は、このような従来の課題を解決するものであり、風路の圧力損失に併せた排気送風機とすることができるレンジフードを提供することを目的としている。
【課題を解決するための手段】
【０００８】
本発明のレンジフードは、上記目標を達成するためフード内部に仕切板を備え、仕切板によりフード内部を第１吸気口と第１吸込口とを連通する第１風路と第２吸気口と第２吸込口とを連通する第２風路に分割したことを特徴とする。そして、本発明によればフード内部を分割し、各々の送風機で捕集させるため、捕集時の気流バランスを各々制御させることにより効率的に捕集することができ、フード内部全体に圧力損失をかけなくても効率的に捕集するとともに各々の風路に最適な送風機の出力をかけることにより効率を上昇させ、消費電力の低減と騒音低減することができるレンジフードが得られる。
【０００９】
また、排気送風機を両側吸込シロッコファンとし、フード内部に仕切板を備え、仕切板によりフード内部を第１吸気口と第１吸込口とを連通する第１風路と第２吸気口と第２吸込口とを連通する第２風路に分割したことを特徴とする。そして、本発明によればフード内部を分割し、各々の送風機で捕集させるため、捕集時の気流バランスを各々制御させることにより効率的に捕集することができ、フード内部全体に圧力損失をかけなくても効率的に捕集するとともに各々の風路に最適な送風機の出力をかけることにより効率を上昇させ、消費電力の低減と騒音低減することができるコンパクトな送風ユニットをもつレンジフードが得られる。
【００１０】
また、第１吸気口を複数に分割したことを特徴とする。そして、本発明によればコンロの位置関係に合致させた風速分布させた第１吸気口にすることができるレンジフードが得られる。
【００１１】
また、第２吸気口を複数に分割したことを特徴とする。そして、本発明によればコンロの位置関係に合致させた風速分布させた第２吸気口にすることができるレンジフードが得られる。
【００１２】
また、第１排気送風機の回転軸と第２排気送風機の回転軸を同一軸上としたことを特徴とする。そして、本発明によれば第１排気送風機のモータと第２排気送風機のモータを同一とすることができるレンジフードが得られる。
【００１３】
また、住宅の壁面に取り付けたレンジフードにおいて、排気送風機の回転軸が壁面と直交し、かつフードの横幅の中心線上とすることを特徴とする。そして、本発明によればフード左右側の風速のバラツキを減少させることができるレンジフードが得られる。
【００１４】
また、住宅の壁面に取り付けたレンジフードにおいて、第１吸込口よりも第２吸込口をもつ排気送風機を比速度の大きい送風機とし、かつ第１吸込口よりも第２吸込口を壁面側に配置したことを特徴とする。そして、本発明によれば風路の圧力損失に併せた排気送風機とすることができるレンジフードが得られる。
【００１５】
また、両側吸込シロッコファンの第１吸込口側のファン吸込径を第２吸込口側のファン吸込径より直径を小さくし、かつ第１吸込口よりも第２吸込口を壁面側に配置したことを特徴とする。そして、本発明によれば風路の圧力損失に併せた排気送風機とすることができるレンジフードが得られる。
【００１６】
また、両側吸込シロッコファンの第１吸込側のブレード取付角を第２吸込口側のブレード取付角より小さくし、かつ第１吸込口よりも第２吸込口を壁面側に配置したことを特徴とする。そして、本発明によれば風路の圧力損失に併せた排気送風機とすることができるレンジフードが得られる。
【００１７】
また、両側吸込シロッコファンの第１吸込側の羽根外径を第２吸込口側の羽根外径より大きくし、かつ第１吸込口よりも第２吸込口を壁面側に配置したことを特徴とする。そして、本発明によれば風路の圧力損失に併せた排気送風機とすることができるレンジフードが得られる。
【００１８】
また、両側吸込シロッコファンの第１吸込側のブレード幅を第２吸込口側のブレード幅より小さくし、かつ第１吸込口よりも第２吸込口を壁面側に配置したことを特徴とする。そして、本発明によれば風路の圧力損失に併せた排気送風機とすることができるレンジフードが得られる。
【００１９】
また、両側吸込シロッコファンの第１吸込側の羽根内外径比を第２吸込口側の羽根内外径比より小さくし、かつ第１吸込口よりも第２吸込口を壁面側に配置したことを特徴とする。そして、本発明によれば風路の圧力損失に併せた排気送風機とすることができるレンジフードが得られる。
【００２０】
また、第１吸気口よりも第２吸気口を壁面側に配置したことを特徴とする。そして、本発明によればフード内部の風路を簡潔にすることができるレンジフードが得られる。
【００２１】
また、第１吸気口に第３排気送風機を有し、この第３排気送風機と第１吸込口が直列に連通することを特徴とする。そして、本発明によれば第１吸気口の吸引力を上昇させることができるレンジフードが得られる。
【００２２】
また、第１吸気口を正面側とし、第３排気送風機をクロスフローファンとしたことを特徴とする。そして、本発明によれば第１吸気口の吸引力を上昇させることができるレンジフードが得られる。
【発明の効果】
【００２３】
本発明によればフード内部に仕切板を備え、仕切板によりフード内部を第１吸気口と第１吸込口とを連通する第１風路と第２吸気口と第２吸込口とを連通する第２風路に分割したことによりフード部分を薄形化にしても、フード内部全体に圧力損失をかけずに捕集時における気流バランスを制御できるため、フード前面部での捕集漏れや無駄に送風機の出力を上げなくても良いとともに送風機の出力を抑えることにより、消費電力の低減と騒音の低減が可能となるという効果のあるレンジフードを提供できる。
【００２４】
また、フード内部に仕切板を備え、仕切板によりフード内部を第１吸気口と第１吸込口とを連通する第１風路と第２吸気口と第２吸込口とを連通する第２風路に分割したことによりフード部分を薄形化にしても、フード内部全体に圧力損失をかけずに捕集時における気流バランスを制御できるため、フード前面部での捕集漏れや無駄に送風機の出力を上げなくても良く、また、１セットの送風機とモータとすることでスペース効率が良化され気流バランス制御をしつつもコンパクトな排気ユニットとすることができるとともに送風機の出力を抑えることにより、消費電力の低減と騒音の低減が可能となるという効果のあるレンジフードを提供できる。
【００２５】
また、第１吸気口を複数に分割したことにより細分化された第１吸気口により、捕集時における気流バランスを制御させ、フードの捕集漏れを減少させることができるという効果のあるレンジフードを提供できる。
【００２６】
また、第２吸気口を複数に分割したことにより細分化された第２吸気口により、捕集時における気流バランスを制御させ、フードの捕集漏れを減少させることができるという効果のあるレンジフードを提供できる。
【００２７】
また、第１排気送風機の回転軸と第２排気送風機の回転軸を同一軸上としたことにより１セットのモータとすることでスペース効率が良化され、気流バランス制御をしつつもコンパクトな排気ユニットとすることができるという効果のあるレンジフードを提供できる。
【００２８】
また、住宅の壁面に取り付けたレンジフードにおいて、排気送風機の回転軸が壁面と直交し、かつフードの横幅の中心線上とすることにより吸込口がフードの中心線上でかつ正面側または壁面側に開口することによりフード左右のバラツキを最小限に抑えることができるという効果のあるレンジフードを提供できる。
【００２９】
また、住宅の壁面に取り付けたレンジフードにおいて、第１吸込口よりも第２吸込口をもつ排気送風機を比速度の大きい送風機とし、かつ第１吸込口よりも第２吸込口を壁面側に配置したことにより風路の圧力損失が大きい第１吸込口をもつ排気送風機を比速度の小さい圧力型とし、風路の圧力損失が小さい第２吸込口をもつ排気送風機を比速度の大きい流量型とすることで各々の風路の圧力損失に併せた排気送風機により各々の排気送風機を効率的な動作状態にすることができるという効果のあるレンジフードを提供できる。
【００３０】
また、両側吸込シロッコファンの第１吸込口側のファン吸込径を第２吸込口側のファン吸込径より直径を小さくし、かつ第１吸込口よりも第２吸込口を壁面側に配置したことにより風路の圧力損失が大きい第１吸込口の直径を小さくして排気送風機を圧力型とし、風路の圧力損失が小さい第２吸込口の直径を大きくして排気送風機を流量型とすることで各々の風路の圧力損失に併せた排気送風機により各々の排気送風機を効率的な動作状態にすることができるという効果のあるレンジフードを提供できる。
【００３１】
また、両側吸込シロッコファンの第１吸込側のブレード取付角を第２吸込口側のブレード取付角より小さくし、かつ第１吸込口よりも第２吸込口を壁面側に配置したことにより風路の圧力損失が大きい第１吸込口をもつ排気送風機のブレード取付角を小さくして圧力型とし、風路の圧力損失が小さい第２吸込口をもつ排気送風機のブレード取付角を大きくして排気送風機を流量型とすることで各々の風路の圧力損失に併せた排気送風機により各々の排気送風機を効率的な動作状態にすることができるという効果のあるレンジフードを提供できる。
【００３２】
また、両側吸込シロッコファンの第１吸込側の羽根外径を第２吸込口側の羽根外径より大きくし、かつ第１吸込口よりも第２吸込口を壁面側に配置したことにより風路の圧力損失が大きい第１吸込口をもつ排気送風機の羽根外径を大きくして圧力型とし、風路の圧力損失が小さい第２吸込口をもつ排気送風機の羽根外径を小さくして排気送風機を流量型とすることで各々の風路の圧力損失に併せた排気送風機により各々の排気送風機を効率的な動作状態にすることができるという効果のあるレンジフードを提供できる。
【００３３】
また、両側吸込シロッコファンの第１吸込側のブレード幅を第２吸込口側のブレード幅より小さくし、かつ第１吸込口よりも第２吸込口を壁面側に配置したことにより風路の圧力損失が大きい第１吸込口をもつ排気送風機のブレード幅を小さくして圧力型とし、風路の圧力損失が小さい第２吸込口をもつ排気送風機のブレード幅を大きくして排気送風機を流量型とすることで各々の風路の圧力損失に併せた排気送風機により各々の排気送風機を効率的な動作状態にすることができるという効果のあるレンジフードを提供できる。
【００３４】
また、両側吸込シロッコファンの第１吸込側の羽根内外径比を第２吸込口側の羽根内外径比より小さくし、かつ第１吸込口よりも第２吸込口を壁面側に配置したことにより風路の圧力損失が大きい第１吸込口をもつ排気送風機の羽根内外比を小さくして圧力型とし、風路の圧力損失が小さい第２吸込口をもつ排気送風機の羽根内外比を大きくして排気送風機を流量型とすることで各々の風路の圧力損失に併せた排気送風機により各々の排気送風機を効率的な動作状態にすることができるという効果のあるレンジフードを提供できる。
【００３５】
また、第１吸気口よりも第２吸気口を壁面側に配置したことにより第１風路と第２風路との立体的な交差がないため風路が簡潔となり、第１風路、第２風路とも風路の圧力損失を最小限にすることができるという効果のあるレンジフードを提供できる。
【００３６】
また、第１吸気口に第３排気送風機を有し、この第３排気送風機と第１吸込口が直列に連通することによりフード部分を薄形化にしても、フード内部全体に圧力損失をかけなくても捕集時における気流バランスを制御できるため、フード前面部での捕集漏れを減少させることがという効果のあるレンジフードを提供できる。
【００３７】
また、第１吸気口を正面側とし、第３排気送風機をクロスフローファンとしたことによりフード部分を薄形化にしても、フード内部全体に圧力損失をかけなくても捕集時における気流バランスを制御できるため、フード前面部での捕集漏れを減少させることがという効果のあるレンジフードを提供できる。
【発明を実施するための最良の形態】
【００３８】
本発明の請求項１記載の発明は、フード内部に仕切板を備え、仕切板によりフード内部を第１吸気口と第１吸込口とを連通する第１風路と第２吸気口と第２吸込口とを連通する第２風路に分割したことであり、フード内部の風路を分割することにより、必要以上に圧力損失をかけなくてもよく、捕集時の気流バランスを各々制御させることができるという作用を有する。
【００３９】
また、フード内部に仕切板を備え、仕切板によりフード内部を第１吸気口と第１吸込口とを連通する第１風路と第２吸気口と第２吸込口とを連通する第２風路に分割したことであり、フード内部の風路を分割することにより、必要以上に圧力損失をかけなくてもよく、捕集時の気流バランスを各々制御させることができ、また、１セットの送風機とモータとすることでスペース効率が良化され気流バランス制御をしつつもコンパクトな排気ユニットとすることができるとともに送風機の出力を抑えることができるという作用を有する。
【００４０】
また、第１吸気口を複数に分割したものであり、捕集時の気流バランスを更に細分化し、複数の第１吸気口の各面積を変化させることにより諸望とする風速にすることができるという作用を有する。
【００４１】
また、第２吸気口を複数に分割したものであり、捕集時の気流バランスを更に細分化し、複数の第１吸気口の各面積を変化させることにより諸望とする風速にすることができるという作用を有する。
【００４２】
また、第１排気送風機の回転軸と第２排気送風機の回転軸を同一軸上としたものであり、モータを１つにすることによりスペースの効率化ができるという作用を有する。
【００４３】
また、住宅の壁面に取り付けたレンジフードにおいて、排気送風機の回転軸が壁面と直交し、かつフードの横幅の中心線上とするものであり、吸込口が壁面と平行かつフードの中心線上にすることにより、左右バランスを良化することができるという作用を有する。
【００４４】
また、住宅の壁面に取り付けたレンジフードにおいて、第１吸込口よりも第２吸込口をもつ排気送風機を比速度の大きい送風機とし、かつ第１吸込口よりも第２吸込口を壁面側に配置したものであり、風路の圧力損失に併せた排気送風機を配置ことにより、送風機の効率化ができるという作用を有する。
【００４５】
また、両側吸込シロッコファンの第１吸込口側のファン吸込径を第２吸込口側のファン吸込径より直径を小さくし、かつ第１吸込口よりも第２吸込口を壁面側に配置したものであり、風路の圧力損失に併せた排気送風機を配置ことにより、送風機の効率化ができるという作用を有する。
【００４６】
また、両側吸込シロッコファンの第１吸込側のブレード取付角を第２吸込口側のブレード取付角より小さくし、かつ第１吸込口よりも第２吸込口を壁面側に配置したものであり、風路の圧力損失に併せた排気送風機を配置ことにより、送風機の効率化ができるという作用を有する。
【００４７】
また、両側吸込シロッコファンの第１吸込側の羽根外径を第２吸込口側の羽根外径より大きくし、かつ第１吸込口よりも第２吸込口を壁面側に配置したものであり、風路の圧力損失に併せた排気送風機を配置ことにより、送風機の効率化ができるという作用を有する。
【００４８】
また、両側吸込シロッコファンの第１吸込側のブレード幅を第２吸込口側のブレード幅より小さくし、かつ第１吸込口よりも第２吸込口を壁面側に配置したものであり、風路の圧力損失に併せた排気送風機を配置ことにより、送風機の効率化ができるという作用を有する。
【００４９】
また、両側吸込シロッコファンの第１吸込側の羽根内外径比を第２吸込口側の羽根内外径比より小さくし、かつ第１吸込口よりも第２吸込口を壁面側に配置したものであり、風路の圧力損失に併せた排気送風機を配置ことにより、送風機の効率化ができるという作用を有する。
【００５０】
また、第１吸気口よりも第２吸気口を壁面側に配置したものであり、フード内部の風路を簡潔にすることにより風路の圧力損失を低減することができるという作用を有する。
【００５１】
また、第１吸気口に第３排気送風機を有し、この第３排気送風機と第１吸込口が直列に連通するものであり、第１吸気口での風速制御が容易にできるという作用を有する。
【００５２】
また、第１吸気口を正面側とし、第３排気送風機をクロスフローファンとしたものであり、第１吸気口での横方向での風速分布の平均化と風速制御が容易にできるという作用を有する。
【００５３】
以下、本発明の実施の形態について図面を参照しながら説明する。
【００５４】
（実施の形態１）
図１は本発明の実施の形態１のレンジフードの構成を示す側面断面図である。図２は図１におけるＡ矢視図である。図３は図１におけるＢ−Ｂ断面図である。図１〜３に示すように、住宅の台所などの壁面１に取り付けられた箱状の外郭２の内部に、第１オリフィス３Ａを設けた第１ケーシング４Ａと第１ファン５Ａで構成された第１排気送風機６Ａと、第２オリフィス３Ｂを設けた第２ケーシング４Ｂと第２ファン５Ｂで構成された第２排気送風機６Ｂと、第１排気送風機６Ａおよび第２排気送風機６Ｂから排気された空気を室外７と連通する排気ダクト８に接続する排気口９を備え、第１ファン５Ａと第２ファン５Ｂを固定したモータ１０をモータ脚１１に備え、第２排気送風機６Ｂが第１排気送風機６Ａより壁面１側に設置するようにモータ脚１１と第１排気送風機６Ａと第２排気送風機６Ｂとを外郭２に螺子等（図示せず）で堅固に固定し構成された排気ユニット１２と、この排気ユニット１２の前方に、正面１３側より排気ユニット１２を隠す目的の幕板１４を備え、また排気ユニット１２の下部に、調理等で発生した廃ガスの捕集空間としてのフード１５を備え、このフード１５の上面には、第１排気送風機６Ａと連通する第１吸込口１６Ａと第２排気送風機６Ｂと連通する第２吸込口１６Ｂを備え、フード１５の下面には金具等（図示せず）でフード１５に対して開閉・脱着可能となる整流板１７を備え、この整流板１７には第２吸気口１８Ｂが第１吸気口１８Ａより壁面１側になるように備え、フード１５の内部と整流板１７で閉じられた空間に第１吸込口１６Ａと第１吸気口１８Ａを連通する第１風路１９Ａと第２吸込口１６Ｂと第２吸気口１８Ｂを連通する第２風路１９Ｂが各々独立した風路となるように仕切板２０を設けた構成となっている。
【００５５】
整流板１７は、この実施の形態ではフード１５の下部面積に丁度合致する面積に形成され、第１吸気口１８Ａと第２吸気口１８Ｂを有しているが、フード１５の下部面積より整流板１７の面積を小さくし、整流板１７に開口を設けずフード１５の下部と整流板１７の外周側の間にスリット形状で形成される穴を設けた場合においても、フード１５の内部を仕切板２０によって第１風路１９Ａと第２風路１９Ｂを仕切る構成としても良い。また、フード１５との支持構造は、メンテナンス等でフード１５から整流板１７を外せる構造であればどのような構造であっても良い。
【００５６】
仕切板２０は、この実施の形態では、平面図でみると凸型の形状で形成されているが、平面図においてフード１５の中心線に対し対称形状であればこの形状にこだわらず、第１風路１９Ａと第２風路１９Ｂが各々独立となる風路となればよい。また、整流板１７がフード１５の下部に固定された時に第１風路１９Ａと第２風路１９Ｂが各々独立となる風路であれば、フード１５の内部側に仕切板２０を固定設置し仕切板２０と整流板１７をパッキン等（図示せず）で仕切る形態であっても、整流板１７に固定設置し仕切板２０とフード１５の内部側をパッキン等（図示せず）で仕切る形態の何れでも良い。
【００５７】
第１ファン５Ａは、第２ファン５Ｂより小さい比速度をもつファンが望ましく、圧力型の第１ファン５Ａ、流量型の第２ファン５Ｂで構成される。ここで比速度とは、式１で示すものであり、通常、ターボファンの比速度＜シロッコファンの比速度＜プロペラファン比速度の関係が成り立つことが公知であり、比速度が２００〜５００であればターボファン、４００〜１５００であればシロッコファン、１５００〜３０００であればプロペラファンであり、比速度が小さくなれば圧力型、比速度が大きくなれば流量型となる。この実施の形態では、第１ファン５Ａをターボファン、第２ファン５Ｂをシロッコファンとしたが、第１ファンの比速度＜第２ファンの比速度の関係が成り立つならば、これらの排気送風機の形状にこだわらない。
【００５８】
（式１）  Ｎｓ＝ｎ×Ｑ(1/2)／ｈ(3/4)
Ｎｓ：比速度  ｎ：回転数（ｒｐｍ）  Ｑ：風量（ｍ３／ｍｉｎ）  ｈ：全圧ヘッド（ｍ）
モータ１０は、この実施の形態では両軸のモータ１０としたが、スペースとコストに余裕があるならば、第１ファン５Ａ、第２ファン５Ｂ各々に片軸のモータ１０を設置して、２モータ２ファンの構成としても良い。第１吸気口１８Ａの開口部は、風速が１〜１．５ｍ／ｓになるように短辺の辺の長さを１５〜３０ｍｍとするのが望ましい。
【００５９】
次に、動作状態を説明する。モータ１０に電圧を印加するとモータ１０に直結された第１ファン５Ａと第２ファン５Ｂが回転し、第１オリフィス３Ａ、第２オリフィス３Ｂ各々から空気を吸込むことにより、第１吸気口１８Ａと第１風路１９Ａと第１吸込口１６Ａと第１オリフィス３Ａで連通している空間と、第２吸気口１８Ｂと第２風路１９Ｂと第２吸込口１６Ｂと第２オリフィス３Ｂで連通している空間が負圧となり、調理で発生した油煙等が第１吸気口１８Ａおよび第２吸気口１８Ｂから流入し、仕切板２０で各々独立した第１風路１９Ａと第２風路１９Ｂを介し、第１排気送風機６Ａと第２排気送風機６Ｂから排気口９と排気ダクト８を通って室外７へ排気される。
【００６０】
上記構成において、第１風路１９Ａと第２風路１９Ｂの風路に分割したので、各々の風量を調整することができるため、第１吸気口１８Ａと第２吸気口１８Ｂの捕集時の気流バランスを各々制御させることができるのとともに、第１風路１９Ａと第２風路１９Ｂでは、第１風路１９Ａの方がフード１５の高さが低い為に風路が狭く第２風路１９Ｂよりも同一風量時の圧力損失が大きくなるが、第１風路１９Ａと接続している第１排気送風機６Ａが第２風路１９Ｂと接続している第２排気送風機６Ｂよりも圧力型とするため、効率が良い状態、つまり出力を抑えて動作できるのため低入力で騒音を抑えることができる。
【００６１】
（実施の形態２）
図４は本発明の実施の形態２のレンジフードの構成を示す側面断面図である。図５は図４におけるＡ矢視図である。図６は図４におけるＢ−Ｂ断面図である。図７は本発明の排気ユニットの側面断面図である。図８は本発明の両側吸込シロッコファンのブレード断面図である。
【００６２】
図４〜８に示すように、壁面１に取り付けられた箱状の外郭２の内部に、第１オリフィス３Ａと第２オリフィス３Ｂを設けたケーシング４と両側吸込シロッコファン５で構成された排気送風機６と、排気送風機６から排気された空気を室外７と連通する排気ダクト８に接続する排気口９を備え、両側吸込シロッコファン５を固定したモータ１０をモータ脚１１に備え、第２オリフィス３Ｂが第１オリフィス３Ａのより壁面１側に設置するようにモータ脚１１と排気送風機６を外郭２に螺子等（図示せず）で堅固に固定し構成された排気ユニット１２と、この排気ユニット１２の前方に、正面１３側より排気ユニット１２を隠す目的の幕板１４を備え、また下部に、調理等で発生した廃ガスの捕集空間としてのフード１５を備え、このフード１５の上面には、第１オリフィス３Ａと連通する第１吸込口１６Ａと第２オリフィス３Ｂと連通する第２吸込口１６Ｂを備え、フード１５の下面には金具等（図示せず）でフード１５に対して開閉・脱着可能となる整流板１７を備え、この整流板１７には第２吸気口１８Ｂが第１吸気口１８Ａより壁面１側になるように備え、フード１５の内部と整流板１７で閉じられた空間に第１吸込口１６Ａと第１吸気口１８Ａを連通する第１風路１９Ａと第２吸込口１６Ｂと第２吸気口１８Ｂを連通する第２風路１９Ｂが各々独立した風路となるように仕切板２０を設けた構成となっている。
【００６３】
整流板１７は、この実施の形態ではフード１５の下部面積に丁度合致する面積に形成され、複数の第１吸気口１８Ａと複数の第２吸気口１８Ｂを有しているが、フード１５の下部面積より整流板１７の面積を小さくし、整流板１７に開口を設けずフード１５の下部と整流板１７の外周側の間にスリット形状で形成される穴を設けた場合においても、フード１５の内部を仕切板２０によって第１風路１９Ａと第２風路１９Ｂを仕切る構成としても良い。また、フード１５との支持構造は、メンテナンス等でフード１５から整流板１７を外せる構造であればどのような構造であっても良い。
【００６４】
仕切板２０は、この実施の形態では、平面図でみると凸型の形状で形成されているが、平面図においてフード１５の中心線に対し対称形状であればこの形状にこだわらず、第１風路１９Ａと第２風路１９Ｂが各々独立となる風路となればよい。また、整流板１７がフード１５の下部に固定された時に第１風路１９Ａと第２風路１９Ｂが各々独立となる風路であれば、フード１５の内部側に仕切板２０を固定設置し仕切板２０と整流板１７をパッキン等（図示せず）で仕切る形態であっても、整流板１７に固定設置し仕切板２０とフード１５の内部側をパッキン等（図示せず）で仕切る形態の何れでも良い。
【００６５】
両側吸込シロッコファン５は、この実施の形態では羽根外径２１を等しくし、第１オリフィス３Ａの直径の方が第２オリフィス３Ｂの直径よりも小さくし、第１オリフィス３Ａ側のブレード取付角２２の方が第２オリフィス３Ｂ側のブレード取付角２２よりも小さくし、第１オリフィス３Ａ側のブレード幅２３の方が第２オリフィス３Ｂ側のブレード幅２３よりも小さくし、第１オリフィス３Ａ側の内外径比の方が第２オリフィス３Ｂ側の内外径比よりも小さくしたものであるが、全てを実施しなくてもいずれか１つを実施すれば第１オリフィス３Ａ側の方が第２オリフィス３Ｂ側のよりも圧力型となる。ここで、ブレード取付角２２とは、ブレードの入口側端点とファンの中心点を結ぶ直線とブレードの入口側端点とブレードの出口側端点を結ぶ直線が成す角度である。また、ブレードの入口側端点（内径）に合致し羽根内径２４と接線となる直線とブレードの入口側端点（内径）に合致し接線となる直線が成す角度を入口角２２Ａ、ブレードの出口側端点（外径）に合致し羽根外径２１と接線となる直線とブレードの出口側端点（外径）に合致し接線となる直線が成す角度を出口角２２Ｂとし、圧力型の時は入口角２２Ａを７０〜８０°出口角２２Ｂを２０〜３０°、流量型の時は入口角２２Ａを８０〜９０°、出口角２２Ｂを５〜２０°とする。また、ブレード幅２３はモータ１０軸方向のブレード有効長であり、ブレード幅２３／羽根外径２１をブレード幅比とし、圧力型の時は０．１５〜０．４０、流量型の時は０．３０〜０．５５とする。また、内外径比は羽根外径２１に対する羽根内径２４の比（羽根内径２４／羽根外径２１）であり、圧力型の時は０．８２〜０．８４、流量型の時は０．８４〜０．８８とする。また、第１オリフィス３Ａ側の羽根外径を第２オリフィス３Ｂ側の羽根外径より大きくすることにより同一ケーシングの広がりの場合、ケーシングの高さ／羽根外径（Ｈ／Ｄ比）が小さくなり圧力型となる。Ｈ／Ｄ比は、圧力型の時は１．４〜１．５、流量型の時は１．５〜１．６とする。第１吸気口１８Ａの開口部は、風速が１〜１．５ｍ／ｓになるように短辺の辺の長さを１５〜３０ｍｍとするのが望ましい。
【００６６】
次に、動作状態を説明する。モータ１０に電圧を印加するとモータ１０に直結された両側吸込シロッコファン５が回転し、第１オリフィス３Ａ、第２オリフィス３Ｂ各々から空気を吸込むことにより、第１吸気口１８Ａと第１風路１９Ａと第１吸込口１６Ａと第１オリフィス３Ａで連通している空間と、第２吸気口１８Ｂと第２風路１９Ｂと第２吸込口１６Ｂと第２オリフィス３Ｂで連通している空間が負圧となり、調理で発生した油煙等が第１吸気口１８Ａおよび第２吸気口１８Ｂから流入し、仕切板２０で各々独立した第１風路１９Ａと第２風路１９Ｂを介し、両側吸込シロッコファン５から排気口９と排気ダクト８を通って室外７へ排気される。
【００６７】
上記構成において、第１風路１９Ａと第２風路１９Ｂの風路に分割したので、各々の風量を調整することができるため、第１吸気口１８Ａと第２吸気口１８Ｂの捕集時の気流バランスを各々制御させることができるのとともに、第１風路１９Ａと第２風路１９Ｂでは、第１風路１９Ａの方がフード１５の高さが低い為に風路が狭く第２風路１９Ｂよりも同一風量時の圧力損失が大きくなるが、第１風路１９Ａと接続している第１吸込口１６Ａ側の両側吸込シロッコファン５が第２風路１９Ｂと接続している第２吸込口１６Ｂ側の両側吸込シロッコファン５よりも圧力型とするため、効率が良い状態、つまり出力を抑えて動作できるのため低入力で騒音を抑えることができる。
【００６８】
（実施の形態３）
図９は、本発明の実施の形態３のレンジフードの構成を示す側面断面図である。図９に示すように、壁面１に取り付けられた箱状の外郭２の内部に、第１オリフィス３Ａと第２オリフィス３Ｂを設けたケーシングと両側吸込シロッコファン５で構成された排気送風機６と、排気送風機６から排気された空気を室外７と連通する排気ダクト８に接続する排気口９を備え、両側吸込シロッコファン５を固定したモータ１０をモータ脚１１に備え、第２オリフィス３Ｂが第１オリフィス３Ａのより壁面１側に設置するようにモータ脚１１と排気送風機６を外郭２に螺子等（図示せず）で堅固に固定し構成された排気ユニット１２と、この排気ユニット１２の前方に、正面１３より排気ユニット１２を隠す目的の幕板１４を備え、また下部に、調理等で発生した廃ガスの捕集空間としてのフード１５を備え、このフード１５の上面には、第１オリフィス３Ａと連通する第１吸込口１６Ａと第２オリフィス３Ｂと連通する第２吸込口１６Ｂを備え、フード１５の下面には金具等（図示せず）でフード１５に対して開閉・脱着可能となる整流板１７を備え、この整流板１７には第２吸気口１８Ｂが第１吸気口１８Ａより壁面１側になるように備え、フード１５の内部と整流板１７で閉じられた空間に第１吸込口１６Ａと第１吸気口１８Ａを連通する第１風路１９Ａと第２吸込口１６Ｂと第２吸気口１８Ｂを連通する第２風路１９Ｂが各々独立した風路となるように仕切板２０を設け、第１吸気口１８Ａは第３吸込口１６Ｃをもつ第３排気送風機６Ｃとしており、第３排気送風機６Ｃから排出された空気は第１風路１９Ａへ排出され第１オリフィス３Ａより両側吸込シロッコファン５へ吸込まれる。
【００６９】
第３排気送風機６Ｃは、この実施の形態ではフード１５の横幅に対し均一流を吸込むことが可能なクロスフローファン２５（横流ファン）であり、フード１５の下面側に第３吸込口１６Ｃをもつように形成されている。
【００７０】
上記構成において、第１風路１９Ａと第２風路１９Ｂでは、第１風路１９Ａの方がフード１５の高さが低い為に風路が狭く第２風路１９Ｂよりも同一風量時の圧力損失が大きくなるが、第１風路１９Ａに第３排気送風機６Ｃと第１排気送風機６Ａを直列にすることにより、第３排気送風機６Ｃをクロスフローファンのような幅広吸込みが可能な流量型のファンを使用可能とし、フード１５の前部の風速を制御しながら効率が良い状態で捕集を積極的に行うことができる。
【産業上の利用可能性】
【００７１】
本発明にかかるレンジフードは、キッチンのデザインにあわせフード部分を薄くしながらも、捕集性能を良化させつつ、風量−静圧特性、騒音特性、消電力化を向上させるレンジフードとして有用であり、薄型の捕集の用途にも適用できる。
【図面の簡単な説明】
【００７２】
【図１】本発明の実施の形態１の側面断面図
【図２】同、Ａ矢視図
【図３】同、Ｂ−Ｂ断面図
【図４】本発明の実施の形態２の側面断面図
【図５】同、Ｃ矢視図
【図６】同、Ｄ−Ｄ断面図
【図７】同、排気ユニットの側面拡大断面図
【図８】同、両側吸込シロッコファンのブレード断面図
【図９】本発明の実施の形態３の側面断面図
【符号の説明】
【００７３】
１      壁面
２      外郭
３Ａ    第１オリフィス
３Ｂ    第２オリフィス
５      両側吸込シロッコファン
５Ａ    第１ファン
５Ｂ    第２ファン
６      排気送風機
６Ａ    第１排気送風機
６Ｂ    第２排気送風機
６Ｃ    第３排気送風機
７      室外
８      排気ダクト
９      排気口
１２    排気ユニット
１３    正面
１５    フード
１６Ａ  第１吸込口
１６Ｂ  第２吸込口
１６Ｃ  第３吸込口
１８Ａ  第１吸気口
１８Ｂ  第２吸気口
１９Ａ  第１風路
１９Ｂ  第２風路
２０    仕切板
２１    羽根外径
２２    ブレード取付角
２２Ａ  入口角
２２Ｂ  出口角
２３    ブレード幅
２４    羽根内径
２５    クロスフローファン
【図１】
2007107751.tif 000003
【図２】
2007107751.tif 000004
【図３】
2007107751.tif 000005
【図４】
2007107751.tif 000006
【図５】
2007107751.tif 000007
【図６】
2007107751.tif 000008
【図７】
2007107751.tif 000009
【図８】
2007107751.tif 000010
【図９】
2007107751.tif 000011